(57)【要約】【課題】緊急性の高い解析結果の待ち時間を低減する。【解決手段】解析装置３の制御部３１は、複数のコンソール２Ａ、２Ｂのそれぞれに対して予め設定されている優先度に従って、コンソール２Ａ、２Ｂから送信される動画像の受信処理及び解析処理の処理順序を制御する。【選択図】図１
2017213287.tif 000002
【特許請求の範囲】
【請求項１】
複数の撮影装置から送信される動画像を受信し、受信した動画像を解析し、解析結果を複数の表示装置のうち要求を行った表示装置に送信して表示させる解析装置であって、
前記複数の撮影装置のそれぞれに対して予め設定されている優先度に従って、前記複数の撮影装置から送信される動画像の受信処理及び解析処理の処理順序を制御する制御手段を備える解析装置。
【請求項２】
前記制御手段は、更に、前記複数の撮影装置から送信される動画像のデータ属性に対して予め設定されている優先度を加味して、前記複数の撮影装置から送信される動画像の受信処理及び解析処理の処理順序を制御する請求項１に記載の解析装置。
【請求項３】
複数の撮影装置から送信される動画像を受信し、受信した動画像を解析し、解析結果を複数の表示装置のうち表示要求を行った表示装置に送信して表示させる解析装置であって、
前記複数の撮影装置から送信される動画像のデータ属性に対して予め設定されている優先度に従って、前記複数の撮影装置から送信される動画像の受信処理及び解析処理の処理順序を制御する制御手段を備える解析装置。
【請求項４】
前記制御手段は、更に、前記複数の撮影装置のそれぞれに対して予め設定されている優先度を加味して、前記複数の撮影装置から送信される動画像の受信処理及び解析処理の処理順序を制御する請求項３に記載の解析装置。
【請求項５】
前記制御手段は、前記表示装置のユーザに対して予め設定されている優先度に従って、前記複数の表示装置から要求された処理の処理順序を制御する請求項１〜４の何れか一項に記載の解析装置。
【請求項６】
前記制御手段は、受信処理中又は解析処理中の動態画像のステータス情報を前記表示装置に表示させる請求項１〜５の何れか一項に記載の解析装置。
【請求項７】
前記制御手段は、前記表示装置において緊急で処理することが指示された動画像についての処理を最優先で実行する請求項１〜６の何れか一項に記載の解析装置。
【請求項８】
前記制御手段は、受信処理中又は解析処理中の動画像へのアクセス要求を制限する請求項１〜７の何れか一項に記載の解析装置。
【請求項９】
複数の撮影装置と、表示装置と、請求項１〜８の何れか一項に記載の解析装置と、を備える解析システム。
【発明の詳細な説明】
【技術分野】
【０００１】
本発明は、解析装置及び解析システムに関する。
【背景技術】
【０００２】
従来のフィルム／スクリーンや輝尽性蛍光体プレートを用いた被写体の放射線による静止画撮影及び診断に対し、ＦＰＤ（Flat Panel Detector）等の半導体イメージセンサーを利用して被写体の動態画像を撮影し、得られた動態画像を解析して診断に提供する動態解析システムが知られている。動態解析システムは、ＦＰＤを用いて動態撮影を行う撮影装置と、撮影装置を制御したり撮影された画像を確認のために表示したりするためのコンソールと、撮影により得られた複数のフレーム画像に基づいて解析を行う解析装置と、解析結果を表示するための表示装置と、を備えて構成される（例えば、特許文献１参照）。病院内では、（１）撮影装置及びコンソールを用いた動態撮影ステップ、（２）解析装置を用いた解析ステップ、（３）表示装置を用いた診断ステップ、の流れで撮影から診断までが行われる。
【０００３】
（１）動態撮影ステップ
動態撮影ステップにおいて、撮影技師は、撮影室において撮影装置の所定の位置に検査対象部位が配置されるようにポジショニングを行い、体位を確認するとともに、曝射準備を行う。次いで、操作室のコンソールから撮影条件の設定、曝射スイッチの押下（動態撮影）、画像確認等を行う。
胸部の動態撮影の場合は、解析の種類等によって撮影時の呼吸状態が異なる。例えば、換気機能を解析する場合は安静呼吸状態で撮影を行い、肺血流機能や心臓の状態を解析する場合は息止め状態で撮影を行い、換気機能の一つとして最大呼吸量を解析したい場合は深呼吸状態で撮影を行う。そのため、複数種類の解析を行う場合、複数の呼吸状態下での撮影が必要となる。また、例えば、解析の種類によっては、一つの解析でも複数の呼吸状態での撮影が必要となる場合もある。一人の患者に対して複数の呼吸状態の撮影が必要な場合は、一般的に、患者に呼吸状態を指示して呼吸状態毎に撮影が行われる。即ち、呼吸状態毎に、体位確認、曝射準備、撮影条件の設定、動態撮影（曝射）、画像確認等が繰り返される。
動態撮影により取得されたフレーム画像は、コンソールを介して解析装置へ送信される。
【０００４】
（２）解析ステップ
解析ステップにおいて、解析装置は、まず、コンソールから送信された動態画像にデフォルトのパラメーター群、または撮影技師等の操作者により設定されたパラメーター群を用いて解析処理を行い、表示装置からの要求に応じて解析結果を表示装置に表示する。撮影技師や医師等の操作者は、解析処理が終了するのを待機して解析結果を確認し、所望の解析結果が得られていない場合には、パラメーター群の少なくとも一部を調整して解析装置に再度解析処理を実行させる。即ち、所望の解析結果が得られるまで、パラメーター調整、再解析の指示、再解析の結果が出るまでの待機、解析結果の確認を繰り返す。所望の解析結果が得られると、撮影技師や医師等の操作者は、解析結果を記憶部に保存する指示を行う。これにより解析結果が解析装置の記憶部等に記憶される。
【０００５】
（３）診断ステップ
診断ステップにおいて、医師は撮影された動態画像やその解析結果の中から、診断を行う検査の動態画像や解析結果を選択して表示装置に表示して、診断を行う。
【先行技術文献】
【特許文献】
【０００６】
【特許文献１】特開２０１３−０３９４２７号公報
【発明の概要】
【発明が解決しようとする課題】
【０００７】
ところで、動態解析システムにおいて、撮影系が複数の場合、解析装置では複数の撮影系から送信される動態画像を一括して受信及び解析することとなる。その際、複数の撮影系からの動態画像の送信要求が集中すると、本来は緊急性の高い解析処理が後回しにされてしまう可能性がある。また、解析装置は、医師が診断を行うための表示装置に解析結果を提供するサーバとしての機能を有しており、複数の表示装置からの要求が集中すると、緊急性の高い診断をしようとしている医師がなかなか解析結果を閲覧できない場合がある。
【０００８】
本発明の課題は、緊急性の高い解析結果の待ち時間を低減することである。
【課題を解決するための手段】
【０００９】
上記課題を解決するため、請求項１に記載の発明は、
複数の撮影装置から送信される動画像を受信し、受信した動画像を解析し、解析結果を複数の表示装置のうち要求を行った表示装置に送信して表示させる解析装置であって、
前記複数の撮影装置のそれぞれに対して予め設定されている優先度に従って、前記複数の撮影装置から送信される動画像の受信処理及び解析処理の処理順序を制御する制御手段を備える。
【００１０】
請求項２に記載の発明は、請求項１に記載の発明において、
前記制御手段は、更に、前記複数の撮影装置から送信される動画像のデータ属性に対して予め設定されている優先度を加味して、前記複数の撮影装置から送信される動画像の受信処理及び解析処理の処理順序を制御する。
【００１１】
請求項３に記載の発明は、
複数の撮影装置から送信される動画像を受信し、受信した動画像を解析し、解析結果を複数の表示装置のうち表示要求を行った表示装置に送信して表示させる解析装置であって、
前記複数の撮影装置から送信される動画像のデータ属性に対して予め設定されている優先度に従って、前記複数の撮影装置から送信される動画像の受信処理及び解析処理の処理順序を制御する制御手段を備える。
【００１２】
請求項４に記載の発明は、請求項３に記載の発明において、
前記制御手段は、更に、前記複数の撮影装置のそれぞれに対して予め設定されている優先度を加味して、前記複数の撮影装置から送信される動画像の受信処理及び解析処理の処理順序を制御する。
【００１３】
請求項５に記載の発明は、請求項１〜４の何れか一項に記載の発明において、
前記制御手段は、前記表示装置のユーザに対して予め設定されている優先度に従って、前記複数の表示装置から要求された処理の処理順序を制御する。
【００１４】
請求項６に記載の発明は、請求項１〜５の何れか一項に記載の発明において、
前記制御手段は、受信処理中又は解析処理中の動態画像のステータス情報を前記表示装置に表示させる。
【００１５】
請求項７に記載の発明は、請求項１〜６の何れか一項に記載の発明において、
前記制御手段は、前記表示装置において緊急で処理することが指示された動画像についての処理を最優先で実行する。
【００１６】
請求項８に記載の発明は、請求項１〜７の何れか一項に記載の発明において、
前記制御手段は、受信処理中又は解析処理中の動画像へのアクセス要求を制限する。
【００１７】
請求項９に記載の発明の解析システムは、
複数の撮影装置と、表示装置と、請求項１〜８の何れか一項に記載の解析装置と、を備える。
【発明の効果】
【００１８】
本発明によれば、緊急性の高い解析結果の待ち時間を低減することが可能となる。
【図面の簡単な説明】
【００１９】
【図１】動態解析システムの全体構成例を示す図である。
【図２】コンソールの機能的構成を示すブロック図である。
【図３】解析装置の機能的構成を示すブロック図である。
【図４】表示装置の機能的構成を示すブロック図である。
【図５】動態解析システムの処理の流れを示すフローチャートである。
【発明を実施するための形態】
【００２０】
以下、図面を参照して本発明の実施形態を詳細に説明する。ただし、発明の範囲は、図示例に限定されない。
【００２１】
〔動態解析システム１００の構成〕
まず、構成を説明する。
図１に、本実施形態における動態解析システム１００の全体構成例を示す。
図１に示すように、動態解析システム１００は、一般撮影室Ｒ１に設けられた撮影装置１Ａと、撮影装置１Ａを制御するためのコンソール２Ａと、救急室Ｒ２に設けられた撮影装置１Ｂと、撮影装置１Ｂを制御するためのコンソール２Ｂと、解析装置３と、表示装置４Ａ〜４Ｃと、を備えて構成されている。撮影装置１Ａとコンソール２Ａ、撮影装置１Ｂとコンソール２Ｂは、それぞれ通信ケーブル等により接続されている。撮影装置１Ａとコンソール２Ａ、撮影装置１Ｂとコンソール２Ｂは、それぞれ協働して撮影を行うものであり、それぞれひとまとまりで各請求項における撮影装置を構成している。また、コンソール２Ａと解析装置３、コンソール２Ｂと解析装置３、表示装置４Ａ〜４Ｃのそれぞれと解析装置３は、ＬＡＮ（Local Area Network）等の通信ネットワークを介してデータ送受信可能に接続されて構成されている。
【００２２】
〔撮影装置１Ａ及び１Ｂの構成〕
撮影装置１Ａは、例えば、呼吸運動に伴う肺の膨張及び収縮の形態変化、心臓の拍動等の、周期性（サイクル）を持つ胸部の動態を撮影する撮影手段であり、放射線源１１、放射線照射制御装置１２、放射線検出部１３を備えて構成されている。動態撮影とは、被写体に対し、Ｘ線等の放射線をパルス状にして所定時間間隔で繰り返し照射するか(パルス照射)、もしくは、低線量率にして途切れなく継続して照射する(連続照射)ことで、動態を示す複数の画像を取得することをいう。動態撮影により得られた一連の画像を動態画像と呼ぶ。また、動態画像を構成する複数の画像のそれぞれをフレーム画像と呼ぶ。なお、以下の実施形態では、パルス照射により動態撮影を行う場合を例にとり説明する。
【００２３】
放射線源１１は、被写体Ｍを挟んで放射線検出部１３と対向する位置に配置され、放射線照射制御装置１２の制御に従って、被写体Ｍに対し放射線（Ｘ線）を照射する。
放射線照射制御装置１２は、コンソール２Ａに接続されており、コンソール２Ａから入力された放射線照射条件に基づいて放射線源１１を制御して放射線撮影を行う。コンソール２Ａから入力される放射線照射条件は、例えば、パルスレート、パルス幅、パルス間隔、１撮影あたりの撮影フレーム数、Ｘ線管電流の値、Ｘ線管電圧の値、付加フィルター種等である。パルスレートは、１秒あたりの放射線照射回数であり、後述するフレームレートと一致している。パルス幅は、放射線照射１回当たりの放射線照射時間である。パルス間隔は、１回の放射線照射開始から次の放射線照射開始までの時間であり、後述するフレーム間隔と一致している。
【００２４】
放射線検出部１３は、ＦＰＤ等の半導体イメージセンサーにより構成され、被写体Ｍを挟んで放射線源１１と対向するように設けられている。放射線検出部１３は、例えば、ガラス基板等を有しており、基板上の所定位置に、放射線源１１から照射されて少なくとも被写体Ｍを透過した放射線をその強度に応じて検出し、検出した放射線を電気信号に変換して蓄積する複数の検出素子（画素）がマトリックス状に配列されている。各画素は、例えばＴＦＴ（Thin Film Transistor）等のスイッチング部を備えて構成されている。放射線検出部１３は、コンソール２Ａから入力された画像読取条件に基づいて各画素のスイッチング部を制御して、当該各画素に蓄積された電気信号の読み取りをスイッチングしていき、各画素に蓄積された電気信号を読み取ることにより、画像データを取得する。この画像データがフレーム画像である。そして、放射線検出部１３は、取得したフレーム画像をコンソール２Ａに出力する。画像読取条件は、例えば、フレームレート、フレーム間隔、画素サイズ、画像サイズ（マトリックスサイズ）等である。フレームレートは、１秒あたりに取得するフレーム画像数であり、パルスレートと一致している。フレーム間隔は、１回のフレーム画像の取得動作開始から次のフレーム画像の取得動作開始までの時間であり、パルス間隔と一致している。
【００２５】
ここで、放射線照射制御装置１２と放射線検出部１３は互いに接続され、互いに同期信号をやりとりして放射線照射動作と画像の読み取りの動作を同調させるようになっている。
【００２６】
撮影装置１Ｂは、上述の撮影装置１Ａと同様に、放射線源１１、放射線照射制御装置１２、放射線検出部１３を備えて構成されている。ただし、撮影装置１Ｂの放射線照射制御装置１２及び放射線検出部１３はコンソール２Ｂに接続されており、放射線照射制御装置１２はコンソール２Ｂから入力された放射線照射条件に基づいて放射線源１１を制御して放射線撮影を行う。また、放射線検出部１３は、コンソール２Ｂから入力された画像読取条件に基づいて各画素のスイッチング部を制御して、各画素に蓄積された電気信号を読み取ることにより画像データを取得し、取得したフレーム画像の画像データをコンソール２Ｂに出力する。
【００２７】
〔コンソール２Ａ及び２Ｂの構成〕
コンソール２Ａは、一般撮影室Ｒ１近傍の操作室に設けられ、放射線照射条件や画像読取条件を撮影装置１Ａに出力して撮影装置１Ａによる放射線撮影及び放射線画像の読み取り動作を制御するとともに、撮影装置１Ａにより取得された動態画像を撮影技師による確認用に表示する。
コンソール２Ａは、図２に示すように、制御部２１、記憶部２２、操作部２３、表示部２４、通信部２５を備えて構成され、各部はバス２６により接続されている。
【００２８】
制御部２１は、ＣＰＵ（Central Processing Unit）、ＲＡＭ（Random Access Memory）等により構成される。制御部２１のＣＰＵは、操作部２３の操作に応じて、記憶部２２に記憶されているシステムプログラムや各種処理プログラムを読み出してＲＡＭ内に展開し、展開されたプログラムに従って、コンソール２Ａ各部の動作や、撮影装置１Ａの放射線照射動作及び読み取り動作を集中制御する。
【００２９】
記憶部２２は、不揮発性の半導体メモリーやハードディスク等により構成される。記憶部２２は、制御部２１で実行される各種プログラムやプログラムにより処理の実行に必要なパラメーター、或いは処理結果等のデータを記憶する。各種プログラムは、読取可能なプログラムコードの形態で格納され、制御部２１は、当該プログラムコードに従った動作を逐次実行する。
また、記憶部２２は、検査対象部位（ここでは胸部）に対応する放射線照射条件及び画像読取条件を記憶している。更に、記憶部２２は、図示しないＲＩＳ（Radiology Information System）等から送信される撮影オーダー情報が記憶されている。撮影オーダー情報には、患者情報、検査情報（検査ＩＤ、検査対象部位（ここでは、胸部）、解析の種類（例えば、換気解析、肺血流解析、最大換気量の測定等）、データ属性（緊急、外来一般、病棟経過観察）等）が含まれる。
【００３０】
操作部２３は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。更に、操作部２３には、放射線照射制御装置１２に動態撮影を指示するための曝射スイッチが備えられている。
【００３１】
表示部２４は、ＬＣＤ（Liquid Crystal Display）やＣＲＴ（Cathode Ray Tube）等のモニターにより構成され、制御部２１から入力される表示信号の指示に従って、操作部２３からの入力指示やデータ等を表示する。
【００３２】
通信部２５は、ＬＡＮアダプターやモデムやＴＡ（Terminal Adapter）等を備え、通信ネットワークに接続された解析装置３等との間のデータ送受信を制御する。
【００３３】
コンソール２Ｂは、救急室Ｒ２近傍の操作室に設けられている。コンソール２Ｂの構成は、コンソール２Ａと同様に、制御部２１、記憶部２２、操作部２３、表示部２４、通信部２５を備えて構成され、各部はバス２６により接続されている。コンソール２Ｂは、コンソール２Ｂ各部の動作や、撮影装置１Ｂの放射線照射動作及び読み取り動作を集中制御する。
【００３４】
〔解析装置３の構成〕
解析装置３は、コンソール２Ａ及びコンソール２Ｂから送信された動態画像を受信し、受信した動態画像を解析し、表示装置４Ａ〜４Ｃの要求に応じて解析結果を表示させたり、再解析を行ったりする。本実施形態において、解析装置３は、コンソール２Ａ及びコンソール２Ｂから送信された胸部の動態画像に基づいて、胸部の動態解析を行う。
解析装置３は、図３に示すように、制御部３１、記憶部３２、操作部３３、表示部３４、通信部３５を備えて構成され、各部はバス３６により接続されている。
【００３５】
制御部３１は、ＣＰＵ、ＲＡＭ等により構成される。制御部３１のＣＰＵは、操作部３３の操作に応じて、記憶部３２に記憶されているシステムプログラムや、各種処理プログラムを読み出してＲＡＭ内に展開し、展開されたプログラムに従って、解析装置３各部の動作を集中制御する。また、制御部３１は、プログラムとの協働により動態画像の受信処理及び解析処理を実行する。更に、制御部３１は、操作部３３又は表示装置４Ａ〜４Ｃの要求に応じて解析結果を表示部３４又は表示装置４Ａ〜４Ｃに表示させる。
【００３６】
記憶部３２は、不揮発性の半導体メモリーやハードディスク等により構成される。記憶部３２は、各種プログラムやプログラムにより処理の実行に必要なパラメーター、或いは処理結果等のデータを記憶する。これらの各種プログラムは、読取可能なプログラムコードの形態で格納され、制御部３１は、当該プログラムコードに従った動作を逐次実行する。
また、記憶部３２には、コンソール２Ａ又は２Ｂからの受信を開始した各動態画像に係る患者情報や検査情報、ステータス（例えば、受信中、解析処理中、解析終了等の進捗状況）情報を含むリスト情報が記憶されている。更に、記憶部３２には、動態画像に対応付けて解析結果が記憶されている。
【００３７】
操作部３３は、カーソルキー、数字入力キー、及び各種機能キー等を備えたキーボードと、マウス等のポインティングデバイスを備えて構成され、キーボードに対するキー操作やマウス操作により入力された指示信号を制御部３１に出力する。また、操作部３３は、表示部３４の表示画面にタッチパネルを備えても良く、この場合、タッチパネルを介して入力された指示信号を制御部３１に出力する。
【００３８】
表示部３４は、ＬＣＤやＣＲＴ等のモニターにより構成され、制御部３１から入力される表示信号の指示に従って、各種表示を行う。
【００３９】
通信部３５は、ＬＡＮアダプターやモデムやＴＡ等を備え、通信ネットワークに接続された各装置との間のデータ送受信を制御する。
【００４０】
〔表示装置４Ａ〜４Ｃの構成〕
表示装置４Ａ〜４Ｃは、図４に示すように、制御部４１、記憶部４２、操作部４３、表示部４４、通信部４５等を備えて構成され、各部はバス４６により接続されている。表示装置４Ａ〜４Ｃは、診察室等に設けられ、撮影技師や医師等の操作に応じて動態画像やその解析結果を解析装置３から取得してビューア画面に表示する。また、表示装置４Ａ〜４Ｃは、操作部４３からの指示に応じて後述する処理指定画面を表示し、操作部４３からの入力に応じてパラメーターの調整を受け付け、調整されたパラメーターによる再解析を解析装置３に指示する。
【００４１】
〔動態解析システム１００の処理の流れ〕
次に、上記動態解析システム１００における処理の流れについて説明する。図５は、動態解析システム１００の処理の流れを示すフローチャートである。
【００４２】
まず、一般撮影室Ｒ１の撮影装置１Ａ及びコンソール２Ａ、又は救急室Ｒ２の撮影装置１Ｂ及びコンソール２Ｂにより動態撮影を行う（ステップＳ１）。
例えば、被写体Ｍが救急患者の場合、救急室Ｒ２の撮影装置１Ｂ及びコンソール２Ｂにより動態撮影を行う。被写体Ｍが救急患者ではない場合、一般撮影室Ｒ１の撮影装置１Ａ及びコンソール２Ａにより動態撮影を行う。
具体的に、撮影技師は、コンソール２Ａ又は２Ｂの表示部２４に表示される撮影オーダー情報のリスト画面から、次の検査に係る撮影オーダー情報を操作部２３により選択して検査対象部位（ここでは、胸部）や解析の種類（例えば、換気解析、肺血流解析、最大換気量の測定等）を確認する。次いで、撮影技師は、撮影装置１Ａ又は１Ｂの所定の位置に検査対象部位が配置されるように患者（被写体Ｍ）のポジショニングを行い、患者の体位を確認するとともに、曝射準備を行う。次いで、撮影技師は、コンソール２Ａ又は２Ｂの操作部２３から撮影条件の設定、曝射スイッチの押下（動態撮影）を行い、動態撮影により撮影装置１Ａ又は１Ｂにおいて取得され表示部２４に表示された画像の確認等を行う。
【００４３】
ここで、例えば、複数種類の解析（例えば、換気解析、肺血流解析、最大換気量の測定等）を行う場合等、一人の患者に対して複数の呼吸状態の撮影が必要な場合、従来は、呼吸状態毎に撮影が行われていた。即ち、呼吸状態毎に、患者の体位確認、曝射準備、撮影条件の設定、動態撮影（曝射）、画像確認等が繰り返されていた。そのため、一人の患者に対する全ての撮影が完了するまでに長い時間がかかっていた。
【００４４】
本実施形態では、複数の呼吸状態の撮影が必要な場合、一回の動態撮影に、異なる複数の呼吸状態を含めて撮影を行う。即ち、撮影技師は、患者の体位確認、曝射準備、撮影条件の設定を行った後、患者に最初の呼吸状態を指示して、コンソール２Ａ又は２Ｂの曝射スイッチを押下する。制御部２１は、曝射スイッチの押下に応じて撮影装置１Ａ又は１Ｂを制御して撮影を開始する。撮影開始から所定時間経過後、撮影技師は、患者に異なる呼吸状態を指示する。必要な全ての呼吸状態下での撮影が終了すると、撮影技師は、曝射スイッチをリリースして撮影を停止させ、画像確認を行う。操作部２３により撮影ＯＫの指示が入力されると、制御部２１は、取得されたフレーム画像のそれぞれに、動態画像を識別するための識別ＩＤや、患者情報、検査情報、放射線照射条件、画像読取条件、撮影順を示す番号（フレーム番号）、コンソールの識別情報等の情報を付帯させてコンソール２Ａ又は２Ｂの通信部２５から解析装置３へ送信する。このように、本実施形態では、複数の異なる呼吸状態で撮影を行う場合においても、体位確認、曝射準備、撮影条件の設定、曝射スイッチの押下、画像確認は１回行えばよいため、動態撮影に要する時間を大幅に短縮することができる。
【００４５】
解析装置３において、通信部３５によりコンソール２Ａ又は２Ｂから動態画像の送信要求を受信すると、制御部３１は、動態画像の受信処理を開始し、記憶部３２に記憶されているリスト情報に受信処理を開始した動態画像の患者情報や検査情報等を追加して当該動態画像のステータスを「受信中」に設定する。一連のフレーム画像の受信が終了すると、制御部３１は、リスト情報のステータスを「解析処理中」に変更し、動態画像を解析して、一連のフレーム画像のうち解析に有効な有効区間の選択を行う（ステップＳ２）。
例えば、換気解析を行う場合は、呼吸状態が安静呼吸である区間を、肺血流解析を行う場合は、呼吸状態が息止めである区間を、最大呼吸量の解析を行う場合は、呼吸状態が深呼吸である区間を解析に有効な区間として選択する。
なお、有効区間の選択は、コンソール２Ａ及び２Ｂにおいて行って、有効区間のフレーム画像のみを解析装置３に送信することとしてもよい。
【００４６】
有効区間の選択が終了すると、解析装置３の制御部３１は、動態画像に対する解析処理を実行する（ステップＳ３）。
ステップＳ３において、制御部３１は、動態画像に付帯されている解析の種類に応じた解析処理を実行する。その際、制御部３１は、予め定められたパラメーター群により自動的に、または操作者による操作部３３の操作により設定されたパラメーター群等を用いて解析処理を行う。解析処理としては、例えば、特開２０１２−１１０４５１号公報に記載の換気解析や肺血流解析等の公知の解析処理を適用することができる。
解析処理が終了すると、制御部３１は、記憶部３２に記憶されているリスト情報の当該動態画像についてのステータスを「解析終了」に変更し、解析結果を動態画像の識別ＩＤ、フレーム番号、解析に用いたパラメーター群等に対応付けて記憶部３２に記憶させる。また、制御部３１は、最初に解析処理を行ったときに用いたパラメーター群と種類が同じで値が異なるパラメーター群を自動的に設定して解析処理を実行し、解析結果を動態画像の識別ＩＤ、フレーム番号、解析に用いたパラメーター群等に対応付けて記憶部３２に記憶させる。
【００４７】
ここで、撮影技師や医師等の操作者（ユーザ）が表示装置４Ａ〜４Ｃの何れかにログインして解析装置３にアクセスすると、ログインされた表示装置４Ａ〜４Ｃにおいて、制御部４１は、通信部４５により解析装置３からリスト情報を取得して、リスト画面を表示部４４に表示させる。操作者が表示部４４に表示されたリスト情報から操作部４３により検査を選択すると、制御部４１は、選択された検査についてのビューア画面を表示部４４に表示させ、解析装置３に対し、選択された検査の動態画像の解析結果の表示要求を行う。ビューア画面は、動態画像やその動態画像の解析結果を表示する画面である。操作部４３によりステータスが「解析終了」の検査が選択された場合、ビューア画面には解析装置３から送信された解析結果が表示される。また、ビューア画面からは、解析処理のパラメーター群を設定（調整）するための処理指定画面を開くことができる。操作者は、解析結果を見て所望の解析結果が得られていない場合、操作部４３の操作によりビューア画面から処理指定画面を開いてパラメーター群を調整する。制御部４１は、調整されたパラメーター群での再解析処理及び解析結果の表示を解析装置３に要求し、解析装置３で再解析された結果を取得して表示する。
【００４８】
解析が終了すると、表示装置４Ａ〜４Ｃにおいて、医師による診断が行われる（ステップＳ４）。
上述のように、医師は、表示装置４Ａ〜４Ｃのリスト画面から検査を選択して動態画像や解析結果を表示して観察を行う。例えば、救急医は、救急室Ｒ２の撮影装置１Ｂにおいて撮影された動態画像やその解析結果を一般撮影室Ｒ１の撮影装置１Ａにおいて撮影された動態画像やその解析結果に先んじて観察する。そして、観察した結果に基づいて、診断を行う。
【００４９】
ここで、図１に示すように、動態解析システム１００において、解析装置３には、複数のコンソール（即ち、コンソール２Ａ、２Ｂ）、及び複数の表示装置（表示装置４Ａ〜４Ｃ）が接続されている。そのため、解析装置３の制御部３１は、以下の（制御例１）、（制御例２）で説明するように、緊急性の高い患者の動態画像の解析結果をその診断を行う医師がより少ない待ち時間で閲覧できるように動態画像の受信処理、解析処理、表示装置４Ａ〜４Ｃから要求された処理の処理順序を制御する。（制御例１）、（制御例２）においては、動態画像の受信処理と解析処理をシーケンシャルに実行する（例えば、動態画像Ａについての受信処理後、動態画像Ａについての解析処理を実行し、動態画像Ａについての解析処理の終了後、次の動態画像Ｂについての受信処理及び解析処理を実行する）場合について説明するが、これに限定されるものではない。
なお、記憶部３２には、解析装置３に接続されているコンソール毎の優先度、動態画像のデータ属性毎の優先度、表示装置のユーザ（操作者。例えば、撮影技師、医師（臨床医、救急医等））毎の優先度がそれぞれ記憶（設定）されている。また、記憶部３２には、優先度に対応付けて、その優先度に対するポイント（例えば、優先度１＝１０点、優先度２＝５点、優先度３＝２点）が記憶されている。本実施形態では、例えば、コンソールの優先度は、コンソール２Ｂ＞コンソール２Ａ、データ属性の優先度は、緊急＞外来一般＞病棟経過観察であるものとする。
【００５０】
（制御例１）
まず、制御例１について説明する。
コンソール２Ａ又はコンソール２Ｂの何れかから動態画像の送信要求があった場合、制御部３１は、動態画像の受信処理を実行し、通信部３５により動態画像を受信する。次いで、制御部３１は、受信した動態画像に付帯されている解析の種類に基づいて、解析処理を実行する。
【００５１】
コンソール２Ａ及びコンソール２Ｂから同時に動態画像の送信要求があった場合、制御部３１は、各コンソールに対して予め設定されている優先度を比較し、優先度が高い方から順に、通信部３５による動態画像の受信処理及び解析処理を実行する。コンソール２Ａ及びコンソール２Ｂの優先度が同等である場合、制御部３１は、各コンソールが送信しようとする動態画像のデータ属性に対して予め設定されている優先度を比較し、データ属性の優先度が高い方から順に、通信部３５による動態画像の受信処理及び解析処理を実行する。
【００５２】
動態画像の受信処理中に、新たにコンソール２Ａ及び／又はコンソール２Ｂから動態画像の送信要求があった場合、制御部３１は、現在処理対象となっている動態画像の送信元のコンソールと新たに送信要求を行ったコンソールのそれぞれに予め設定されている優先度（同じ優先度の場合は、現在処理対象となっている動態画像と新たに送信要求された動態画像のデータ属性に予め設定されている優先度）を比較する。比較の結果、現在処理対象となっている動態画像の送信元のコンソールの優先度の方が高い場合（同じ優先度の場合は、現在処理対象となっている動態画像のデータ属性の優先度の方が高い場合）、制御部３１は、現在処理対象となっている動態画像の受信処理及び解析処理が終了してから、新たに動態画像の送信要求を行ったコンソールからの受信処理及び解析処理を実行する。現在処理対象となっている動態画像の送信元のコンソールの優先度の方が低い場合（同じ優先度の場合は、現在処理対象となっている動態画像のデータ属性の優先度の方が低い場合）、制御部３１は、現在処理対象となっている動態画像の受信処理の終了後、一旦その動態画像についての処理を中断し、新たに送信要求を行ったコンソールからの受信処理及び解析処理を実行してから、中断した処理を再開する。なお、現在処理対象となっている動態画像の受信処理の終了を待たずに、受信処理を中断して、新たに送信要求を行ったコンソールからの動態画像の受信処理及び解析処理を実行してから、中断した処理を再開することとしてもよい。
【００５３】
動態画像の解析処理中に、新たにコンソール２Ａ及び／又はコンソール２Ｂから動態画像の送信要求があった場合、制御部３１は、処理中の解析処理が終了してから新たに送信要求を行ったコンソールからの受信処理及び解析処理を実行する。或いは、現在処理対象となっている動態画像の送信元のコンソールと新たに送信要求を行ったコンソールのそれぞれに予め設定されている優先度（同じ優先度の場合は、現在処理対象となっている動態画像と新たに送信要求された動態画像のデータ属性に予め設定されている優先度）を比較し、現在処理対象となっている動態画像の送信元のコンソールの優先度の方が低い場合（同じ優先度の場合は、現在処理対象となっている動態画像のデータ属性の優先度が低い場合）、現在処理対象となっている動態画像の解析処理を中断し、新たに送信要求を行ったコンソールからの動態画像の受信処理及び解析処理を実行してから、中断した処理を再開してもよい。
【００５４】
このように、解析装置３において、動態画像を送信するコンソールに対して予め設定されている優先度の高い方から順に受信処理及び解析処理を実行し、優先度が同等のコンソールから同時に送信要求があった場合は、送信対象の動態画像のデータ属性の優先度が高い方から順に受信処理及び解析処理を行うように制御することで、例えば、本実施形態のように複数のコンソールの扱う動態画像の緊急性が異なる場合等において、緊急性の高い動態画像の受信及び解析を優先することができ、緊急性の高い解析結果が表示可能となるまでの時間を低減することが可能となる。
【００５５】
一方、解析装置３又は表示装置４Ａ〜４Ｃのうち複数の表示装置（ここでは、解析装置３の表示部３４も表示装置に含む）から同時に処理の要求（解析結果の表示要求、パラメーター調整による再解析処理及びその解析結果の表示の要求等）が行われた場合、制御部３１は、要求を行った表示装置の操作者（ログインを行ったユーザ）のそれぞれに対して予め設定されている優先度を比較し、予め設定された優先度が高いユーザが操作している表示装置から順に、表示要求された解析結果を送信して表示させたり、操作者の指示に基づく再解析処理を実行して再解析結果を表示させたりする。なお、一つの表示装置から要求された処理が終了するまで、他の表示装置による要求を待機させることとしてもよいし、処理の隙間時間（例えば、解析結果を送信してから再解析処理の指示が受信されるまでの隙間時間）に他の表示装置の要求に対する処理を実行することとしてもよい。また、受信処理中又は解析処理中の動態画像については、制御部３１は、アクセス制限を行う。即ち、受信処理中又は解析処理中の動態画像について、解析結果の表示や再解析処理が指示された場合には、制御部３１は、要求された表示や再解析処理を行わずに、表示装置に「処理中」等のステータス情報を送信して表示させる。
【００５６】
受信処理中又は解析処理中に表示装置から処理要求が行われた場合、制御部３１は、例えば、処理中の動態画像の送信元のコンソールに対して予め設定されている優先度及び処理中の動態画像のデータ属性に対して予め設定されている優先度に対応するポイントを加算した値と、表示装置から処理要求された動態画像の送信元のコンソールの優先度、処理要求された動態画像のデータ属性の優先度、及び表示装置の操作者の優先度に対応するポイントを加算した値とを比較し、前者の値が高い場合は、処理中の受信処理及び解析処理が終了した後で表示装置から要求された処理を実行する。後者の値が高い場合は、処理中の処理を中断して、表示装置から要求された処理を行ってから、中断した処理を再開する。
【００５７】
このように、表示要求があった場合、解析装置３においては、表示要求を行った表示装置の操作者に対して予め設定された優先度に従って、要求された処理を実行するので、緊急性の高い検査の診断を行う医師等の解析結果の待ち時間を低減することができる。また、受信処理中又は解析処理中の動態画像について、解析結果の表示や再解析処理が指示された場合には、要求された表示や再解析処理を行わずに、表示装置に「処理中」等のステータス情報を送信して表示させるので、操作者がまだ解析が終了していないことを把握することができる。また、受信処理中又は解析処理中の動態画像へのアクセスは制限されるので、処理の中断を防止することができる。
【００５８】
なお、解析装置３や表示装置４Ａ〜４Ｃの操作者は、予め設定されている優先度以外での処理の指示が可能である。例えば、上述のリスト画面において、各検査に対応する緊急ボタン等が設けられており、操作部３３（操作部４３）により緊急ボタンが押下される（即ち、緊急でその検査に係る動態画像についての処理を行うことが指示される）と、制御部３１は、緊急ボタンが押下された検査の動画像については、予め設定されている優先度を無視してその動画像についての解析結果の表示や再解析処理を最優先で実行する。これにより、優先度の低い操作者が緊急の解析結果を必要とする場合等に、柔軟に対応することができる。
【００５９】
（制御例２）
次に、制御例２について説明する。
コンソール２Ａ又はコンソール２Ｂの何れかから動態画像の送信要求があった場合、制御部３１は、動態画像の受信処理を実行し、通信部３５により動態画像を受信する。次いで、制御部３１は、動態画像に付帯されている解析の種類に基づいて、解析処理を実行する。
【００６０】
コンソール２Ａ及びコンソール２Ｂから同時に動態画像の送信要求があった場合、制御部３１は、各コンソールが送信しようとする動態画像のデータ属性に対して予め設定されている優先度を比較し、優先度が高い方から順に、動態画像の受信処理及び解析処理を実行する。各コンソールが送信しようとする動態画像のデータ属性の優先度が同等である場合、制御部３１は、各コンソールに対して予め設定されている優先度を比較し、優先度が高い方から順に、動態画像の受信処理及び解析処理を実行する。
【００６１】
動態画像の受信処理中に、新たにコンソール２Ａ及び／又はコンソール２Ｂから動態画像の送信要求があった場合、制御部３１は、現在処理対象となっている動態画像と送信要求された動態画像のデータ属性のそれぞれに対して予め設定されている優先度（同じ優先度の場合は、現在処理対象となっている動態画像の送信元のコンソールと新たに送信要求を行ったコンソールのそれぞれに予め設定されている優先度）を比較する。比較の結果、現在処理対象となっている動態画像のデータ属性の優先度の方が高い場合（同じ優先度の場合は、現在処理対象となっている動態画像の送信元のコンソールの優先度の方が高い場合）、制御部３１は、現在処理対象となっている動態画像の受信処理及び解析処理が終了してから、新たに送信要求を行ったコンソールからの受信処理及び解析処理を実行する。現在処理対象となっている動態画像のデータ属性の優先度の方が低い場合（同じ優先度の場合は、現在処理対象となっている動態画像の送信元のコンソールの優先度の方が低い場合）、制御部３１は、現在処理対象となっている動態画像の受信処理の終了後、一旦その動態画像についての処理を中断し、新たに送信要求を行ったコンソールからの受信処理及び解析処理を実行してから、中断した処理を再開する。なお、現在処理対象となっている動態画像の受信処理の終了を待たずに、受信処理を中断して、新たに送信要求を行ったコンソールからの受信処理及び解析処理を実行してから、中断した処理を再開することとしてもよい。
【００６２】
動態画像の解析処理中に、新たにコンソール２Ａ及び／又はコンソール２Ｂから動態画像の送信要求があった場合、制御部３１は、処理中の解析処理が終了してから新たに送信要求を行ったコンソールからの受信処理及び解析処理を実行する。或いは、現在処理対象となっている動態画像と送信要求された動態画像のデータ属性のそれぞれに予め設定されている優先度（同じ優先度の場合は、現在処理対象となっている動態画像の送信元のコンソールと新たに送信要求を行ったコンソールのそれぞれに予め設定されている優先度）を比較し、現在処理対象となっている動態画像のデータ属性の優先度の方が低い場合（同じ優先度の場合は、現在処理対象となっている動態画像の送信元のコンソールの優先度の方が低い場合）、現在処理対象となっている動態画像の解析処理を中断し、新たに送信要求を行ったコンソールからの受信処理及び解析処理を実行してから、中断した処理を再開してもよい。
【００６３】
このように、解析装置３において、送信対象の動態画像のデータ属性に対して予め設定された優先度を比較し、優先度の高い方から順に受信処理及び解析処理を実行し、優先度が同等のデータ属性の動態画像の送信要求が同時にあった場合は、送信対象の動態画像のデータ属性の優先度が高い方から順に受信処理及び解析処理を行うように制御することで、緊急性の高い動態画像の受信及び解析を優先することができ、緊急性の高い解析結果が表示可能となるまでの時間を低減することが可能となる。
【００６４】
表示要求が行われた場合の処理、受信処理中又は解析処理中に表示要求が行われた場合の処理、効果、及び緊急ボタンが押下された場合の制御部３１の動作については、（制御例１）で説明したものと同様であるので説明を援用する。
【００６５】
以上、本発明の実施形態について説明したが、上記実施形態における記述内容は、本発明の好適な一例であり、これに限定されるものではない。
例えば、上記実施形態においては、動態画像を解析装置３において受信、解析、表示する場合を例にとり説明したが、本発明は、動態画像に限らず、その他の動画像を受信、解析、表示する場合に適用可能である。
【００６６】
また、上記実施形態においては、受信処理中又は解析処理中に表示装置から処理要求が行われた場合に、ポイントを用いた処理順序を決定することとしたが、受信処理及び解析処理の処理順序を決定する際にポイントを用いることとしてもよい。例えば、一方の動態画像の送信元のコンソールの優先度に対するポイントが５点でデータ属性の優先度に対するポイントが５点、他方の動態画像の送信元のコンソールの優先度に対するポイントが２点でデータ属性の優先度に対するポイントが１０点である場合、後者の動態画像に対する受信処理及び解析処理を優先する（先に実行する）。
【００６７】
また、上記実施形態の（制御例１）では、コンソールの優先度をデータ属性の優先度に対して優先させ、（制御例２）では、データ属性の優先度をコンソールの優先度に対して優先させたが、コンソールの優先度とデータ属性の優先度のどちらを優先させるかは規定せず、例えば、撮影装置（コンソール）の優先度に対応するポイント×０．４、データ属性の優先度に対応するポイント×０．６のように、傾斜配分として、何れを優先させるかを決定することとしてもよい。優先度の付け方や傾斜配分の割合は、各施設運用に合わせて柔軟に変更可能である。
【００６８】
また、上記実施形態においては、１台のコンソールに１台の撮影装置が接続されている場合を例にとり説明したが、１台のコンソールに複数台の撮影装置が接続されていることとしてもよい。この場合、コンソールに接続された各撮影装置が各請求項における撮影装置を構成する。例えば、解析装置３の記憶部３２には各撮影装置の優先度が記憶され、解析装置３の制御部３１は、上記実施形態のコンソールの優先度に替えて撮影装置の優先度を用いて処理順序の制御を行う。
【００６９】
その他、動態解析システムを構成する各装置の細部構成及び細部動作に関しても、本発明の趣旨を逸脱することのない範囲で適宜変更可能である。
【符号の説明】
【００７０】
１００  動態解析システム
１Ａ、１Ｂ  撮影装置
２Ａ、２Ｂ  コンソール
２１  制御部
２２  記憶部
２３  操作部
２４  表示部
２５  通信部
２６  バス
３  解析装置
３１  制御部
３２  記憶部
３３  操作部
３４  表示部
３５  通信部
３６  バス
４Ａ、４Ｂ、４Ｃ  表示装置
４１  制御部
４２  記憶部
４３  操作部
４４  表示部
４５  通信部
４６  バス
【図１】
2017213287.tif 000003
【図２】
2017213287.tif 000004
【図３】
2017213287.tif 000005
【図４】
2017213287.tif 000006
【図５】
2017213287.tif 000007